(57)【要約】【課題】人体に装着して温熱療法効果を発揮し、着用感が良好であり、携帯に適した発熱包帯を提供すること。【解決手段】弾性包帯２０は、発熱面を備えた発熱区間２１と、発熱区間２１の端縁箇所に位置し、かつ弾性伸縮可能な少なくとも１つの弾性区間２２と、弾性包帯２０の相対する位置に配置され、相互に固定可能な少なくとも１つの第１固定部２３と第２固定部を含み、発熱ユニット３０が発熱区間２１内に設置され、熱エネルギーを生成するために用いられ、コントローラユニット４０が弾性包帯２０上に設置され、発熱ユニット３０に電気的に接続され、発熱ユニット３０のオン／オフを制御し、給電ユニット５０がコントローラユニット４０に電気的に接続され、発熱ユニット３０が熱エネルギーを生成するときに必要とする電力を提供する。【選択図】図１
0003215279.tif 000002
【実用新案登録請求の範囲】
【請求項１】
携帯に適した発熱包帯であって、弾性包帯と、発熱ユニットと、コントローラユニットと、給電ユニットを含み、
前記弾性包帯は、発熱面を備えた発熱区間と、前記発熱区間の端縁箇所に位置し、かつ弾性伸縮可能な少なくとも１つの弾性区間と、前記弾性包帯の相対する位置に配置され、相互に固定可能な少なくとも１つの第１固定部と第２固定部を含み、
前記発熱ユニットが前記発熱区間内に設置され、熱エネルギーを生成するために用いられ、
前記コントローラユニットが前記弾性包帯上に設置され、前記発熱ユニットに電気的に接続され、前記発熱ユニットのオン／オフを制御し、
前記給電ユニットが前記コントローラユニットに電気的に接続され、前記発熱ユニットが前記熱エネルギーを生成するときに必要とする電力を提供する、
ことを特徴とする発熱包帯。
【請求項２】
前記弾性包帯が、２つの前記弾性区間と、２つの前記第１固定部を含み、２つの前記弾性区間が前記発熱区間の両端縁箇所にそれぞれ位置し、２つの前記第１固定部が２つの前記弾性区間を挟んで前記発熱区間と相対する位置にそれぞれ配置されたことを特徴とする、請求項１に記載の発熱包帯。
【請求項３】
２つの前記第１固定部と前記第２固定部が一対の相互に粘着可能な面ファスナーであることを特徴とする、請求項２に記載の発熱包帯。
【請求項４】
前記給電ユニットが充電機能を備えたバッテリーパックであることを特徴とする、請求項２に記載の発熱包帯。
【請求項５】
前記給電ユニットに、前記第２固定部と相互に固定される第３固定部が設けられたことを特徴とする、請求項４に記載の発熱包帯。
【請求項６】
前記コントローラユニットが、前記給電ユニットと相互に電気的に接続される電源コードを含むことを特徴とする、請求項４に記載の発熱包帯。
【請求項７】
前記電源コードの一端が前記コントローラユニットに電気的に接続され、他端が前記給電ユニットと相互に電気的に接続される第１接続部を備え、前記給電ユニット上にさらに前記第１接続部と相互に接続される第２接続部が設けられたことを特徴とする、請求項６に記載の発熱包帯。
【請求項８】
前記発熱ユニットが遠赤外線を発生できる電熱線であることを特徴とする、請求項１に記載の発熱包帯。
【請求項９】
前記発熱区間に、前記給電ユニットを収容するための収納空間が設けられたことを特徴とする、請求項１に記載の発熱包帯。
【考案の詳細な説明】
【技術分野】
【０００１】
本考案は、人体の部位に装着し、温熱療法効果を発揮するために用いられ、かつ携帯に適した発熱包帯に関する。
【背景技術】
【０００２】
発熱理学療法や光理学療法の製品は、ほとんどがプラスチック製の手に持つ形式であり、かつ一般的な人体の部位に対して設計されているため、使用者の操作上自由度が制限されている。また、人体の各部位に対して設計されている製品でも、使用者の体型、寸法の違いによって、製品があらゆる人のニーズを満たすことはできない。さらに、このような製品は通常モバイルバッテリーによる給電が採用されており、使用上不便で、消費者にコスト負担を招いている。
【考案の概要】
【考案が解決しようとする課題】
【０００３】
本考案が解決しようとする課題は、人体に装着して温熱療法効果を発揮し、着用感が良好であり、携帯に適した発熱包帯を提供することにある。
【課題を解決するための手段】
【０００４】
本考案の発熱包帯は、上述の課題を解決するために、弾性包帯と、発熱ユニットと、コントローラユニットと、給電ユニットを含む。前記弾性包帯は、発熱面を備えた発熱区間と、前記発熱区間の端縁箇所に位置し、かつ弾性伸縮可能な少なくとも１つの弾性区間と、前記弾性包帯の相対する位置に配置され、相互に固定可能な少なくとも１つの第１固定部と第２固定部を含む。前記発熱ユニットが前記発熱区間内に設置され、熱エネルギーを生成するために用いられる。前記コントローラユニットが前記弾性包帯上に設置され、前記発熱ユニットに電気的に接続され、前記発熱ユニットのオン／オフを制御する。前記給電ユニットが前記コントローラユニットに電気的に接続され、前記発熱ユニットが前記熱エネルギーを生成するときに必要とする電力を提供する。
【０００５】
一実施例において、前記弾性包帯は、２つの前記弾性区間と、２つの前記第１固定部を含み、２つの前記弾性区間が前記発熱区間の両端縁箇所にそれぞれ位置し、２つの前記第１固定部が２つの前記弾性区間を挟んで前記発熱区間と相対する位置にそれぞれ配置される。
一実施例において、２つの前記第１固定部と前記第２固定部が一対の相互に粘着可能な面ファスナーである。
一実施例において、前記給電ユニットは充電機能を備えたバッテリーパックである。
一実施例において、前記給電ユニットに、前記第２固定部と相互に固定される第３固定部が設けられる。
一実施例において、前記コントローラユニットは前記給電ユニットと相互に電気的に接続される電源コードを含む。
一実施例において、前記電源コードの一端が前記コントローラユニットに電気的に接続され、他端が前記給電ユニットと相互に電気的に接続される第１接続部を備え、前記給電ユニット上にさらに前記第１接続部と相互に接続される第２接続部が設けられる。
一実施例において、前記発熱ユニットは遠赤外線を発生できる電熱線である。
一実施例において、前記発熱区間に前記給電ユニットを収容するための収納空間が設けられる。
【考案の効果】
【０００６】
従来技術と比較して、本考案の発熱包帯には以下の優位性がある。
１.給電ユニットが弾性包帯に直接設置されているので、携帯に便利である。
２.弾性包帯には弾性区間があり、この弾性区間が弾性伸縮して身体部位で適切な緊張度に調整することができるため、装着時の快適性が高められる。
【図面の簡単な説明】
【０００７】
【図１】本考案の実施例を示す発熱包帯の展開時の斜視図である。
【図２】本考案の実施例を示す発熱包帯の展開時の分解斜視図である。
【図３】本考案の実施例を示す発熱包帯の収納時の平面図である。
【考案を実施するための形態】
【０００８】
以下、本考案の実施例を図面に基づいて詳細に説明する。
図１と図２に示すように、本考案の発熱包帯１０は、人体の腰部、脚部、肩部等、身体部位に装着するために用いられ、弾性包帯２０と、発熱ユニット３０と、コントローラユニット４０と、給電ユニット５０を含む。
【０００９】
弾性包帯２０は発熱区間２１と、少なくとも１つの弾性区間２２と、少なくとも１つの第１固定部２３と、少なくとも１つの第２固定部２４を含み、本実施例においては２つの弾性区間２２と、２つの第１固定部２３を設けたものを主な実施態様とする。
発熱区間２１は、軟性材料で成り、可撓性を具備しており、発熱面２１１と、発熱面２１１に相対する背面２１２を備える。本実施例において、発熱区間２１は、第１部分２１３と第２部分２１４を相互に重ね合わせて構成され、前記発熱面２１１が前記第１部分２１３上に位置し、前記背面２１２が前記第２部分２１４の前記第１部分２１３に相対する一面上に位置する。前記背面２１２上にさらに前記給電ユニット５０を収納するための収納空間２１５が設置される。
【００１０】
２つの弾性区間２２は前記発熱区間２１の２つの端縁箇所にそれぞれ設置され、かつ前記発熱区間２１にそれぞれ連接される。各弾性区間２２は弾性材質で成り、各弾性区間２２が前記発熱区間２１の２つの端縁箇所でそれぞれ弾性伸縮可能である。
２つの第１固定部２３は、２つの弾性区間２２を挟んで前記発熱区間２１と相対する位置にそれぞれ配置され、かつ各第１固定部２３が各弾性区間２２とそれぞれ相互に連接される。また、第１固定部２３の発熱面２１１と同じ側の面が固定面となっている。
前記第２固定部２４は前記発熱区間２１の前記背面２１２上に設置される。本実施例において、前記第１固定部２３と前記第２固定部２４は一対の相互に粘着可能な面ファスナーである。
【００１１】
発熱ユニット３０は、前記発熱区間２１内に設置され、前記第１部分２１３と前記第２部分２１４の間に位置する。発熱ユニット３０は熱エネルギーを発生させるために用いられ、前記熱エネルギーは前記第１部分２１３から外部へと導き出され、前記第１部分２１３に位置する発熱面２１１に前記熱エネルギーを放出させることができる。本実施例において、発熱ユニット３０は電熱線であり、遠赤外線を発生するために用いられる。また、発熱ユニット３０は軟性材質であり、発熱区間２１と同様に可撓性を備え、弾性包帯２０とともに撓性の変形を生じることができる。当然、発熱ユニット３０は、電熱線以外に、例えばフレキシブルＬＥＤライトバーなど、同様に前記熱エネルギーを発生できる材料を利用してもよい。
【００１２】
コントローラユニット４０は弾性包帯２０上に設置される。本実施例において、コントローラユニット４０は、発熱区間２１の背面２１２上に設置され、かつ発熱ユニット３０に電気的に接続され、発熱ユニット３０のオン／オフ動作を制御する。
コントローラユニット４０からは電源コード４１が延伸され、電源コード４１の一端がコントローラユニット４０に電気的に接続され、他端に第１接続部４２が設けられる。
【００１３】
給電ユニット５０は、コントローラユニット４０に接続され、発熱ユニット３０が熱エネルギーを生成するときに必要とする電力を供給する。本実施例において、給電ユニット５０は電源コード４１を介してコントローラユニット４０と相互に電気的に接続される。  給電ユニット５０は充電可能なバッテリーパックであり、給電ユニット５０上に第１接続部４２の接続に供する第２接続部５１が設置され、かつ給電ユニット５０上にさらに外部電源に電気的に接続するために用いる第３接続部５２が設けられ、前記外部電源を利用して給電ユニット５０を充電状態とすることができる。
本実施例において、第１接続部４２と第２接続部５１は相互接続できる一対のＵＳＢコネクタであり、第３接続部５２はＣ  ＴＹＰＥコネクタまたはＴＹＰＥ  Ｃコネクタであり、これにより給電ユニット５０の適用性を高めている。
このほか、給電ユニット５０上にはさらに前記第２固定部２４と相互に固定できる第３固定部５３が設置される。該第３固定部５３は第２固定部２４と同様に相互に粘着可能な面ファスナーである。
【００１４】
発熱包帯１０を使用するときは、まず、弾性包帯２０を人体の温熱療法を適用したい部位に巻きつけ、発熱面２１１を身体部位に密着させる。巻きつけが完了したら、第１固定部２３と第２固定部２４を相互に固定して、弾性包帯２０が身体部位から脱落しないように保持する。
さらに、コントローラユニット４０は第１接続部４２を利用して給電ユニット５０の第２接続部５１に電気的に接続され、コントローラユニット４０に電力が供給される。
給電ユニット５０は第３固定部５３を介して第２固定部２４と相互に固定するか、または給電ユニット５０を収納空間２１５内に収納し、給電ユニット５０を弾性包帯２０上に固定することができる。これにより、コントローラユニット４０を通じて発熱ユニット３０を作動させ、発熱面２１１に前記熱エネルギーを生成させて、前記身体部位に対し温熱療法の効果を発揮することができる。
【００１５】
言及すべきは、弾性包帯２０を前記身体部位に巻きつけたとき、発熱区間２１の両側に設けた弾性区間２２の弾性伸縮状態を利用して、弾性包帯２０を身体部位に巻きつけたときの緊張度を調整できる点である。しかも、弾性包帯２０と発熱ユニット３０は共に軟性材質で成り、かつ可撓性を備えているため、弾性包帯２０を前記身体部位に巻きつけたとき、前記身体部位に緊密に接触させることができ、かつ弾性包帯２０を巻きつける過程で、前記身体部位上の傷口箇所を避けて巻きつけることができる。このように温熱療法の効果を高めると同時に、傷口に対する二次傷害を回避できる。
【００１６】
図３に示すように、発熱包帯１０の収納時は、弾性包帯２０を円形状に巻き、さらに第１固定部２３と第２固定部２４を相互に固定することで、弾性包帯２０を巻いた状態で固定することができる。
同時に、第３固定部５３と第２固定部２４を相互に固定することで、給電ユニット５０を巻いた後の弾性包帯２０上に固定し、全体の収納体積を縮小して携帯と収納により便利にすることができる。
【００１７】
先行技術と比較して、弾性包帯２０は前記身体部位に巻きつけたとき、前記身体部位上の傷口箇所を簡単に避けることができるため、前記傷口に対する二次傷害を回避できるという利点がある。
また、第１固定部２３と第２固定部２４の設置を通じ、弾性包帯２０を前記身体部位に巻きつけた後素早く固定でき、使用上の利便性が向上される。
このほか、弾性包帯２０の設置により、発熱包帯１０を人体の任意の部位に装着でき、かつ２つの弾性区間２２を利用して前記弾性包帯２０を前記身体部位上に巻きつけたときの緊張度を調整でき、発熱包帯１０全体をより幅広く使用することができる。
【００１８】
以上は、本考案の実施例の説明であって、本考案の権利範囲を限定するものではなく、実用新案登録請求の範囲を逸脱しない変更や修飾はいずれも本考案の権利範囲に含まれる。
【符号の説明】
【００１９】
１０    発熱包帯
２０    弾性包帯
２１    発熱区間
２２    弾性区間
２３    第１固定部
２４    第２固定部
２１１   発熱面
２１２   背面
２１３   第１部分
２１４   第２部分
２１５   収納空間
３０    発熱ユニット
４０    コントローラユニット
４１    電源コード
４２    第１接続部
５０    給電ユニット
５１    第２接続部
５２    第３接続部
５３    第３固定部
【図１】
0003215279.tif 000003
【図２】
0003215279.tif 000004
【図３】
0003215279.tif 000005